(57)【要約】【課題】シンプルな構成で掃除機本体の傾動動作に応じて回転ブラシの回転・停止を可能となり、コストを抑えつつ信頼性を向上したベルト切り替え機構を提供すること。【解決手段】回転ブラシと、回転ブラシと一体回転する駆動プーリーと、回転ブラシの回転と独立に回転可能に支持される空転プーリーと、駆動プーリー又は空転プーリーと電動送風機の駆動軸とを連結するベルトと、ベルトの連結を切り替えレバーを介して駆動プーリーと空転プーリーとに切り替えるベルト切り替え機構とを備え、掃除機本体の傾動支持部に掃除機本体が略直立状態時に切り替えレバーを押動し、ベルトを空転プーリーに案内する押動体と、切り替えレバーを駆動プーリー側に附勢する附勢手段とを設けた。【選択図】図２
2011177332.tif 000002
【特許請求の範囲】
【請求項１】
吸気を発生させる電動送風機と、被掃除面に面して開口し前記電動送風機と連通する吸気口を有した吸込口体と、前記電動送風機を収納し前記吸込口体に傾動支持される掃除機本体と、前記吸気口に臨んで回転可能に支持される回転ブラシと、前記回転ブラシと一体回転する駆動プーリーと、前記回転ブラシの回転と独立に回転可能に支持される空転プーリーと、前記駆動プーリー又は前記空転プーリーと前記電動送風機の駆動軸とを連結するベルトと、前記ベルトの連結を切り替えレバーを介して前記駆動プーリーと前記空転プーリーとに切り替えるベルト切り替え機構とを備え、前記掃除機本体が略直立状態時に前記切り替えレバーを押動してベルトを空転プーリーに案内する押動体と、前記切り替えレバーを前記駆動プーリー側に附勢する附勢手段とを設け、前記掃除機本体が略直立状態時には回転ブラシの回転を停止し、前記掃除機本体が傾動状態時には回転ブラシを回転するようにしたアップライト型電気掃除機。
【請求項２】
押動体の切り替えレバーとの当接部に案内部Ａを、また切り替えレバーに前記案内部Ａに対向する案内部Ｂを設けた請求項１記載のアップライト型電気掃除機。
【請求項３】
吸込口体に上下ポジションに位置決め可能な押釦を設け、前記押釦が下ポジションにある時に切り替えレバーを押動することで回転ブラシの回転を停止するようにした請求項１または２記載のアップライト型電気掃除機。
【請求項４】
押釦の切り替えレバーとの当接部に案内部Ｃを、また押釦に前記案内部Ｃに対向する案内部Ｄを設けた請求項３記載のアップライト型電気掃除機。
【請求項５】
各案内部Ａ〜Ｄのいずれかを滑り性、耐磨耗性に優れた材質で形成した請求項２または４に記載のアップライト型電気掃除機。
【発明の詳細な説明】
【技術分野】
【０００１】
本発明は、回転ブラシの回転・停止を可能にするベルト切り替え機構を有したアップライト型電気掃除機に関するものである。
【背景技術】
【０００２】
従来、この種のアップライト型電気掃除機は、切り替えレバー、ペダル、押釦を複雑な機構で連動させることで、掃除機本体の傾動動作に応じて回転ブラシの回転・停止を可能としている（例えば、特許文献１参照）。
【先行技術文献】
【特許文献】
【０００３】
【特許文献１】特開平１１−５６７１３号公報
【発明の概要】
【発明が解決しようとする課題】
【０００４】
しかしながら、前記従来の構成では、切り替えレバー、ペダル、押釦を連動させる設定が難しく、複雑な構成となり部品点数が増え、部品コスト、組立コストが掛かると共に、各部を複雑に連動させているため、一部の故障が全部の機能に影響を及ぼす可能性があり、信頼性確保が困難であるという課題を有していた。
【０００５】
本発明は、前記従来の課題を解決するもので、シンプルな構成でコストを抑えると共に、各部の動作を独立にすることで信頼性も向上しつつ、掃除機本体の傾動動作に応じて回転ブラシの回転・停止を可能としたベルト切り替え機構を有したアップライト型電気掃除機を提供することを目的とする。
【課題を解決するための手段】
【０００６】
前記従来の課題を解決するために、本発明のアップライト型電気掃除機は、吸気を発生させる電動送風機と、被掃除面に面して開口し前記電動送風機と連通する吸気口を有した吸込口体と、前記電動送風機を収納し前記吸込口体に傾動支持される掃除機本体と、前記吸気口に臨んで回転可能に支持される回転ブラシと、前記回転ブラシと一体回転する駆動プーリーと、前記回転ブラシの回転と独立に回転可能に支持される空転プーリーと、前記駆動プーリー又は前記空転プーリーと前記電動送風機の駆動軸とを連結するベルトと、前記ベルトの連結を切り替えレバーを介して前記駆動プーリーと前記空転プーリーとに切り替えるベルト切り替え機構とを備え、前記掃除機本体の傾動軸部に前記掃除機本体が略直立状態時に前記切り替えレバーを押動し、ベルトを空転プーリーに案内する押動体と、前記切り替えレバーを前記駆動プーリー側に附勢する附勢手段とを設け、前記掃除機本体が略直立状態時には回転ブラシの回転を停止し、前記掃除機本体が傾動状態時には回転ブラシを回転するようにしたものである。
【発明の効果】
【０００７】
本発明のアップライト型電気掃除機によれば、シンプルな構成で掃除機本体の傾動動作に応じて回転ブラシの回転・停止を可能となり、コストを抑えつつ信頼性を向上することが出来る。
【図面の簡単な説明】
【０００８】
【図１】本発明のアップライト型電気掃除機の正面図
【図２】同電気掃除機の略直立状態時に下カバーを外した時の吸込口体内部構成図
【図３】同電気掃除機の傾動状態時に下カバーを外した時の吸込口体内部構成図
【図４】図２のＡ−Ａ断面図
【図５】図３のＢ−Ｂ断面図
【図６】（Ａ）押釦が上ポジションにある時の図３のＣ−Ｃ断面図（Ｂ）押釦が下ポジションにある時の図３のＣ−Ｃ断面図
【図７】図３のＤ−Ｄ断面図
【図８】図４のＥ−Ｅ断面図
【発明を実施するための形態】
【０００９】
第１の発明は、吸気を発生させる電動送風機と、被掃除面に面して開口し前記電動送風機と連通する吸気口を有した吸込口体と、前記電動送風機を収納し前記吸込口体に傾動支持される掃除機本体と、前記吸気口に臨んで回転可能に支持される回転ブラシと、前記回転ブラシと一体回転する駆動プーリーと、前記回転ブラシの回転と独立に回転可能に支持される空転プーリーと、前記駆動プーリー又は前記空転プーリーと前記電動送風機の駆動軸とを連結するベルトと、前記ベルトの連結を切り替えレバーを介して前記駆動プーリーと前記空転プーリーとに切り替えるベルト切り替え機構とを備え、前記掃除機本体の傾動軸部に前記掃除機本体が略直立状態時に前記切り替えレバーを押動し、ベルトを空転プーリーに案内する押動体と、前記切り替えレバーを前記駆動プーリー側に附勢する附勢手段とを設け、前記掃除機本体が略直立状態時には回転ブラシの回転を停止、前記掃除機本体が傾動状態時には回転ブラシを回転させるもので、シンプルな構成で掃除機本体の傾動動作に応じて回転ブラシの回転・停止を可能となり、コストを抑えつつ信頼性を向上したベルト切り替え機構を実現出来る。
【００１０】
第２の発明は、押動体の切り替えレバーとの当接部に案内部Ａ、切り替えレバーに前記案内部Ａに対向する案内部Ｂを設けるもので、切り替えレバーの動作性・掃除機本体の回動性、押動部の耐摩耗性を向上出来る。
【００１１】
第３の発明は、吸込口体の略上部に上下動可能かつ上ポジション、下ポジションに位置決め可能な押釦を設け、前記押釦が下ポジションにある時に切り替えレバーを押動することで回転ブラシの回転を停止させるもので、シンプルな構成で通常使用状態時に回転ブラシを回転・停止させることが可能となり、コストを抑えつつ信頼性を向上したベルト切り替え機構を実現出来る。
【００１２】
第４の発明は、押釦の切り替えレバーとの当接部に案内部Ｃ、押釦に前記案内部Ｃに対向する案内部Ｄを設けるもので、切り替えレバーの動作性・押釦の操作性、押釦の耐磨耗性を向上出来る。
【００１３】
第５の発明は、案内部Ａ〜Ｄのいずれかを滑り性、耐磨耗性に優れた材質で形成するもので、押動部・押釦の耐磨耗性を向上出来る。
【００１４】
以下、本発明の実施の形態について、図面を参照しながら説明する。なお、この実施の形態によって本発明が限定されるものではない。
【００１５】
（実施の形態１）
図１に示すように、アップライト型電気掃除機は、掃除機本体１と、掃除機本体１に固定される手元ハンドル２と、掃除機本体１を傾動自在に支持する吸込口体３と、一端を吸込口体３、他端を掃除機本体１に接続され、互いを連通するホース（図示せず）とを備えている。
【００１６】
図２〜図５に示すように、掃除機本体１は、傾動軸部４を介して吸込口体３に傾動自在
に軸支され、吸込口体３で掻き上げ吸引した塵埃を集塵室５に吸引する電動送風機６を内蔵している。また、掃除機本体１は、略直立状態時には、吸込口体３に回動自在に軸支したペダル７の先端により傾動を規制されており、ペダル７を踏むことでその規制が解除され、傾動可能となる。
【００１７】
また、吸込口体３は、駆動プーリー８と空転プーリー９を一列に並べて設けた塵埃掻き上げ用の回転ブラシ１０を内蔵している。駆動プーリー８は回転ブラシ１０に固定され、空転プーリー９は回転ブラシ１０に回転自在に支持されている。また、電動送風機６の駆動軸１１と回転ブラシ１０の駆動プーリー８又は空転プーリー９との間にベルト１２を張架し、電動送風機６の動力を回転ブラシ１０に伝達する動力伝達手段を構成している。
【００１８】
また、吸込口体３の内部には、回動軸１３を介して切り替えレバー１４を回動自在に軸支し、吸込口体３の上カバー１５と切り替えレバー１４に附勢バネ支持部Ａ１６を設け、附勢バネ支持部Ａ１６に附勢バネとしてコイルバネＡ１７を取り付けることで、切り替えレバー１４を駆動プーリー８側に附勢している。ベルト１２は、電動送風機６の駆動軸１１と回転ブラシ１０の駆動プーリー８又は空転プーリー９との間にベルト１２を張架された状態で切り替えレバー１４のベルト支持部１８に通すことで支持されている。
【００１９】
また、掃除機本体１の傾動軸部４には、切り替えレバー１４側に突出する押動部Ａ１９を設け、押動部Ａ１９の配設位置と突出代は、掃除機本体１が略直立状態時に切り替えレバー１４と当接することで切り替えレバー１４を回動させ、ベルト１２を空転プーリー９に張架するように設定している。
【００２０】
図２〜図７に示すように、吸込口体３の略上部には、切り替えレバー１４側に突出する押動部Ｂ２０を有した上ポジション、下ポジションに位置決め可能な押釦２１を設け、押動部Ｂ２０の配設位置と突出代は、押釦２１が下ポジションにある時に切り替えレバー１４と当接することで切り替えレバー１４を回動させ、ベルト１２を空転プーリー９に張架するように設定している。
【００２１】
また、押釦２１はハートカム構造で上ポジション、下ポジションに位置決めされている。押釦２１の上方は、押釦２１の操作部２２を吸込口体３の上カバー１５に設けた上下動作を案内する開口部Ａ２３に挿入され、押釦２１の下方は、押釦２１の押動部Ｂ２０を上カバー１５に固定された押釦支持板２４に設けた上下動を案内する開口部Ｂ２５に挿入され、押釦２１と押釦支持板２４に設けた附勢バネ支持部Ｂ２６に附勢バネとしてコイルバネＢ２７を取り付けることで、押釦２１を上方に附勢支持している。押釦２１には、ハートカム動作部２８を設け、押釦支持板２４には、ハートカムバネ２９が爪固定されており、ハートカムバネ２９の先端は、ハートカム動作部２８に引掛かり、押釦２１が下ポジションにある時にハートカムバネ２９がハートカム動作部２８の附勢部３０に移動することで押釦２１を下ポジションに位置決め可能となっている。
【００２２】
図７〜図８に示すように、掃除機本体１の押動部Ａ１９には案内部Ａ３１、切り替えレバー１４には案内部Ａ３１に対向する案内部Ｂ３２、押釦２１の押動部Ｂ２０には案内部Ｃ３３、切り替えレバー１４には案内部Ｃ３３に対向する案内部Ｄ３４を設けており、案内部Ａ３１を含む押動部Ａ１９全体は、滑り性、耐磨耗性に優れたＰＯＭ樹脂で成形し、傾動軸部４にビス締結で固定しており、案内部Ｃ３３を含む押釦２１全体は同様にＰＯＭ樹脂で成形し、案内部Ｂ３２、Ｄ３４は、金属製の切り替えレバー１４を折り曲げて形成している。
【００２３】
以上のように構成されたアップライト形電気掃除機について、その動作、作用を説明する。まず、掃除機本体１が略直立状態かつ押釦２１が上ポジションにある状態で電源を入
れると、電動送風機６の駆動軸１１は回転するが、押動部ａ１９が切り替えレバー１４を空転プーリー９側に押し動かしているため、回転ブラシ１０は回転しない。
【００２４】
次に使用者が手元ハンドル２を持ち、ペダル７を踏みながら掃除機本体１を傾動させると、切り替えレバー１４は押動部Ａ１９から押し動かされることがなくなる一方、コイルバネＡ１７で駆動プーリー８側に附勢され、回転ブラシ１０が回転し、使用者が床面を掃除することで回転ブラシ１０が床面の塵埃を掻き上げ、掻き上げられた塵埃は吸込口体３、ホースを経由して掃除機本体１の集塵室５に吸引される。
【００２５】
一方、通常使用状態で回転ブラシ１０を停止させたい場合は、押釦２１を踏むことで下ポジションに移動させれば、押釦２１の押動部Ｂ２０が切り替えレバー１４を空転プーリー９側に押し動かし、回転ブラシ１０の回転が停止する。
【００２６】
掃除終了後もしくは掃除中断時に掃除機本体１を略直立状態に立てた場合には、押釦２１の上下ポジションに関りなく、掃除機本体１の押動部Ａ１９が切り替えレバー１４を空転プーリー９側に押し動かし、常に回転ブラシ１０が停止する。
【００２７】
以上のように、本実施の形態においては、切り替えレバー１４によるベルト切り替え機構として、掃除機本体１に押動部Ａ１９、吸込口体３に附勢バネとしてコイルバネＡ１７を設けるだけで掃除機本体１の傾動に応じて回転ブラシ１０の回転・停止を可能とすることが出来るので、シンプルな構成でコストを抑えると共に、各部の動作を独立にすることで信頼性も向上することが出来る。
【００２８】
また、本実施の形態においてはハートカム構造を用いるなどして押釦２１を上下動させ、押釦２１に押動部Ｂ２０を設けるだけで押釦２１の上下動に応じて回転ブラシ１０の回転・停止を可能とすることが出来るので、シンプルな構成でコストを抑えると共に、各部の動作を独立にすることで信頼性も向上することが出来る。
【００２９】
さらに、本実施の形態においては案内部Ａ３１〜Ｄ３４を滑り性、耐磨耗性に優れたＰＯＭ樹脂もしくは金属で形成することで、掃除機本体１の傾動動作、押釦２１の操作をスムースにするという使い勝手を向上すると共に、繰り返しの使用にも耐えるという信頼性を向上することが出来る。
【産業上の利用可能性】
【００３０】
以上のように、本発明にかかるアップライト型電気掃除機用は、コストを抑えつつ信頼性を向上したベルト切り替え機構を実現出来るので、家庭用のアップライト電気掃除機に有用である。
【符号の説明】
【００３１】
１  掃除機本体
３  吸込口体
８  駆動プーリー
９  空転プーリー
１０  回転ブラシ
１２  ベルト
１４  切り替えレバー
１７  コイルバネＡ
１９  押動部Ａ
【図１】
2011177332.tif 000003
【図２】
2011177332.tif 000004
【図３】
2011177332.tif 000005
【図４】
2011177332.tif 000006
【図５】
2011177332.tif 000007
【図６】
2011177332.tif 000008
【図７】
2011177332.tif 000009
【図８】
2011177332.tif 000010